(57)【要約】【課題】ターンバー等の遮断部の色の発光表示や機械本体部での案内または警告用イルミネーションの色発光表示の使い方を定め、発光色の使い方を統一して利用者等に対してその動作状態を分かりしやすくできるゲート機を提供する。【解決手段】ゲート機１０は、出入り口としての通路を形成する構造を有した機械本体部１１と、機械本体部に可動自在に設けられかつ通路の通行を許可または不許可に設定するターンバー２４を備え、ターンバーの全部２色の色に選択的に発光させ、第１の色は通行許可状態を表し、第２の色は通行不許可状態を表すように発光する発光部４４と、通路を通行する利用者が適格か否かを認証する認証部２５と、認証部が利用者を適格と認証するとき青色を発光させる制御信号を発光部に与え、利用者を不適格と認証するとき赤色を発光させる制御信号を発光部に与える制御部３５とを備える。【選択図】図６
2011253490.tif 000002
【特許請求の範囲】
【請求項１】
出入り口としての通路を形成する構造を有した機械本体部と、前記機械本体部に可動自在に設けられかつ前記通路の通行を許可または不許可に設定する遮断部とを備えたゲート機であって、
前記遮断部の全部または一部を少なくとも２色の色に選択的に発光させ、第１の前記色は前記通行許可状態を表し、第２の前記色は前記通行不許可状態を表すように発光する発光部と、
前記通路を通行する利用者が適格か否かを認証する認証手段と、
前記認証手段が前記利用者を適格と認証するとき前記第１の色を発光させる制御信号を前記発光部に与え、前記利用者を不適格と認証するとき前記第２の色を発光させる制御信号を前記発光部に与える制御手段とを備える、
ことを特徴とするゲート機。
【請求項２】
前記発光部は、少なくとも前記２色の色を選択的に発光する複数のＬＥＤ素子によって構成されることを特徴とする請求項１記載のゲート機。
【請求項３】
前記遮断部は３本のバー部材を有するターンバーであり、前記３本のバー部材の各々がその全体を発光させる前記発光部を備えることを特徴とする請求項１または２記載のゲート機。
【請求項４】
前記機械本体部の上面部に、前記利用者の適格認証時に７色発光を生じるイルミネーション発光部を備えることを特徴とする請求項１〜３のいずれか１項に記載のゲート機。
【発明の詳細な説明】
【技術分野】
【０００１】
本発明はゲート機に関し、特に、ターンバー、フラップ、または垂直ドア等の通行遮断部を有するゲート機であって、遮断部全体が通行許可または通行不許可に応じて異なる色で発光するように構成されたゲート機に関する。
【背景技術】
【０００２】
ゲート機として代表的な装置は駅の改札口に設置された自動改札機である。その他のゲート機として、野球場、サッカー場等のスポーツ施設、フィットネスクラブのクラブハウス、温泉施設、レジャー施設、イベント会場または施設、高層ビル等のロビー等の出入り口等に設置される装置がある。ゲート機は、通路を形成する機械本体部と、当該通路を通行可能状態（通行許可）または通行不可能状態（通行不許可または通行阻止）にする遮断部とを備える。遮断部は、機械本体部に取り付けられ、機械本体部内に設けられた駆動装置によって、通行可能な状態を作る動作すなわち開動作、または通行不可能な状態を作る動作すなわち閉動作を行う。この遮断部は、構造として、現在、ターンバー、フラップ、または垂直ドア等が存在する。これらの遮断部の構造は、ゲート機が設置される場所に応じて適宜に選択される。上記の駅改札口の自動改札機ではフラップ構造の開閉ドアが使用される。またレジャー施設等の入口では主にターンバーの構造が使用される。
【０００３】
従来の自動改札機等では、表示用機器として、一般的に、移動方向案内ランプ、情報提示用の表示部、警告ランプ類等で種々の色を用いて表示等を行っている。これらの表示用機器は、機械本体部においてその設置位置等や色の使い方について統一規格として標準的に決まっておらず、機械ごとでバラバラである。従って利用者にとっては分かりづらいものであった。
【０００４】
上記の遮断部または遮断部材を発光させる従来の関連技術として特許文献１および特許文献２に開示される技術が存在する。特許文献１は発光式の遮断竿等を開示している。この遮断竿は踏切やゲート等の進入路の遮断に用いられる部材であり、遮断竿の所定の箇所にストロボ光を点滅させるストロボ発光ユニットを設けた構造を有している。特許文献２は標識灯を開示している。当該標識灯は発光ダイオードを用いた発光部を内蔵している。
【先行技術文献】
【特許文献】
【０００５】
【特許文献１】特開２００１−２７８０５４号公報
【特許文献２】特開平２−２１６６９号公報
【発明の概要】
【発明が解決しようとする課題】
【０００６】
従来のゲート機では、発光表示用機器の設置位置や発光表示に使う色の使い方に関して標準的規格が存在しないので、利用者には分かりずらく、場合によって利用者に誤まった情報を与え、トラブルが発生する可能性がある。そこで、近年、ゲート機について発光表示用機器の設置位置や発光表示の色の使い方について統一性のあるアイデアの提案が求められている。
【０００７】
本発明の目的は、上記の課題に鑑み、ターンバー等の遮断部の色の発光表示や機械本体部での案内または警告用イルミネーションの色発光表示の使い方を定め、発光色の使い方を統一して利用者等に対してその動作状態を分かりやすくできるゲート機を提供することにある。
【課題を解決するための手段】
【０００８】
本発明に係るゲート機は、上記の目的を達成するため、次のように構成される。
【０００９】
第１のゲート機（請求項１に対応）は、出入り口としての通路を形成する構造を有した機械本体部と、機械本体部に可動自在に設けられかつ通路の通行を許可または不許可に設定する遮断部とを備え、さらに、遮断部の全部または一部を少なくとも２色の色に選択的に発光させ、第１の色は通行許可状態を表し、第２の色は通行不許可状態を表すように発光する発光部と、通路を通行する利用者が適格か否かを認証する認証手段と、認証手段が利用者を適格と認証するとき第１の色を発光させる制御信号を発光部に与え、利用者を不適格と認証するとき第２の色を発光させる制御信号を発光部に与える制御手段とを備えるように構成される。
【００１０】
上記のゲート機では、ゲート機によって通行許可または通行不許可を制御する通路に設置された遮断部そのものを発光させる構造および仕組みとして構成したため、利用者にとって分かりやすく、かつ統一した表示手段の形式として規格化し標準的に利用することができる。遮断部としては、ターンバー構造、フラップ式ドア、垂直ドア等の各種のものに適用することができる。
【００１１】
第２のゲート機（請求項２に対応）は、上記の構成において、好ましくは、発光部は、少なくとも２色の色を選択的に発光する複数のＬＥＤ素子によって構成されることを特徴とする。基板上に複数の発光色の異なるＬＥＤ素子を設け、通行の許可または不許可に応じて異なる色を発光させることが可能となる。
【００１２】
第３のゲート機（請求項３に対応）は、上記の構成において、好ましくは、遮断部は３本のバー部材を有するターンバーであり、３本のバー部材の各々がその全体を発光させる発光部を備えることを特徴とする。３本のバー部材が回転するターンバー構造の遮断部の場合には、３本のバー部材の各々の全体が発光し、例えば通行が許可されるときには青色に発光し、通行が許可されないときには赤色に発光するため、利用者にとって通行が可能か否かを判断することが容易になる。
【００１３】
第４のゲート機（請求項４に対応）は、上記の構成において、好ましくは、機械本体部の上面部に、利用者の適格認証時に７色発光を生じるイルミネーション発光部を備えることを特徴とする。利用者の通行の適格を認証した時、利用者に対する色表示と共に、イルミネーション発光部も７色発光を行うため、ゲート機の付近にいる係員にも通行に係る状況を正確に知ることができる。
【発明の効果】
【００１４】
本発明によれば、ゲート機において機械本体部に対して可動自在に設けられかつ通路の通行許可または通行不許可を制御するターンバーあるいは開閉ドア等の遮断部の全体等をその状況に応じて異なる色で発光させるように構成したため、発光表示の使い方が標準的に規格化され、さらに色の使い方を統一して利用者等にゲート機の動作状態を分かりしやすくすることができるという効果が発揮される。
【図面の簡単な説明】
【００１５】
【図１】本発明に係るゲート機の代表的な実施形態を示す外観の斜視図である。
【図２】本実施形態に係るゲート機で通行許可の動作状態を示す図である。
【図３】本実施形態に係るゲート機で通行不許可の動作状態を示す図である。
【図４】本実施形態に係るゲート機で正面図である。
【図５】本実施形態に係るゲート機で平面図である。
【図６】本実施形態に係るゲート機の信号・制御系のシステム構成図である。
【発明を実施するための形態】
【００１６】
以下に、本発明の好適な実施形態（実施例）を添付図面に基づいて説明する。
【００１７】
図１〜図５を参照して本発明に係るゲート機の代表的な実施形態を説明する。図１はゲート機の外観を示す斜視図であり、図２および図３はゲート機の動作状態を示す外観図であり、図４はゲート機の正面図であり、図５はゲート機の平面図であり、図６はゲート機のゲート動作および発光表示動作を可能にする信号処理および制御処理のシステム構成図である。
【００１８】
図１等において、本実施形態に係るゲート機１０は、機械的構造部としての機械本体部１１と柵部１２から構成される。ゲート機１０は、例えばレジャー施設等の出入り口に設置されている。ゲート機１０では、床面に設置固定された機械本体部１１に対して適切な間隔をあけて柵部１２が設置されている。機械本体部１１と柵部１２の間に、出入り口としての通路（進路）１３が形成される。柵部１２の形状や形態は任意であり、機械本体部１１との間に通路１３を形成することができる部材であれば、任意のものを用いることができる。また柵部１２の箇所が建物の壁部であれば、柵部１２を省略することができる。
【００１９】
機械本体部１１は、床面に固定された台座部２１と、台座部２１に立設された支柱部２２と、支柱部２２の上部に連結されかつ固定された筐体部２３とから構成されている。台座部２１は、比較的に広い面積を有したプレート状の形態を有し、床面に固定されている。支柱部２２は筒体構造を有しており、その内部空間には信号線や電力線等の配線が敷設されている。支柱部２２の上部に設けられた筐体部２３は、支柱部２２と連結される構造を有しかつターンバー２４を通路１３側の側方領域に備える連結部２３Ａと、信号処理部等を含む制御部や、ターンバー２４を回転動作させるための駆動装置等を内蔵するメインボディー部２３Ｂとを備えている。ターンバー２４は、３本のバー部材２４ａと、これらの３本のバー部材２４ａがそれぞれの一端部で一箇所にて結合された支点部２４ｂとを有している。ターンバー２４の支点部２４ｂは、連結部２３Ａ内に設けられた駆動機構によって通行許可時には回転可能になるように設けられている。ターンバー２４の支点部２４ｂは、例えば図２において反時計回りの方向Ｄ１に回転することが可能である。３本のバー部材２４ａについては、図４および図５に示すように、常に１本のバー部材２４ａが通路１３を遮るような位置にて通路１３の面に対して平行に配置される。さらに残りの２本のバー部材２４ａは、図４および図５に示すように、機械本体部１１における通路１３側の側面領域に沿う姿勢で配置されている。またメインボディー部２３Ｂの前側端部の上面部には認証部２５と表示部２６が設けられ、さらに側辺に沿ってイルミネーション発光部２７が設けられている。認証部２６は、例えば入場券等として機能する無線による非接触ＩＣカード等に反応する無線受信装置を含み、後述するごときアンテナと受信部と認証判断部を含んで構成されている。認証判断部としての機能は、上述した制御部内の信号処理部にソフト的に装備されている。表示部２６は、利用者が入場券としての非接触ＩＣカードを認証部２５にかざしてゲート機１０の通路１３を通行しようとするときに、認証内容および関連情報を表示するための手段である。イルミネーション発光部２７は、メインボディー部２３Ｂの側辺に沿って比較的に長形の形態で設けられている。
【００２０】
上記のターンバー２４は、利用者が通行適格者である場合には回転して当該利用者が通路１３を通ることができるようにし、利用者が通行不適格者である場合には回転しないでロック状態になり、当該利用者の通行を阻止する機能を有している。さらに加えて、ターンバー２４の３本のバー部材２４ａの各々は、それ自体の好ましくは全部（または一部）が発光するという機能を有している。ターンバー２４は、通行不適格者に対して通路１３の通行を阻止する遮断部としての機能を有しているので、各バー部材２４ａは所要の剛性を有した材質で作られると共に、上記のごとき発光作用を有しているので、例えば内部に設けた発光部での発光作用が外部に生じるように光透過材質で作られている。バー部材２４ａの内部には、少なくとも２色の色に選択的に発光することができる発光部４４を有している。発光部４４は、通常的には、例えば細長い基板の上に複数のＬＥＤ素子を配置して構成される。複数のＬＥＤ素子は、例えば、青色を発光する複数のＬＥＤ素子のグループと、赤色を発光する複数のＬＥＤ素子のグループを含んで構成されている。色の数はこの例では２色としたが、２色以上、例えば７色であってもかまわない。色の数が上記のごとく青色と赤色の２色の場合には、青色は、利用者が通行適格者であって通行許可状態の時に発光され、赤色は、利用者が通行不適格者であって通行不許可状態をの時に発光される。なおバー部材２４ａを特定の色に発光させる手段は、上記のＬＥＤによる発光に限定されない。例えば発光フィルムを用いることもできる。
【００２１】
また上記のイルミネーション発光部２７は、内部に例えば７色の色を発するＬＥＤ素子等が内蔵されており、例えば、利用者の認証で通行適格者として判断された時に、７色の色をグラデーション化して流れるごとく発光するようにその発光動作が制御される。ゲート機１０の付近にいる係員は、ゲート機１０のメインボディー部２３Ｂに設けたイルミネーション発光部２７の発光動作の状態を監視することにより、ゲート機１０の動作状態を確認することができる。
【００２２】
図６を参照してシステム構成を説明する。入力側の部分として、利用者が、無線による非接触ＩＣカード３１を図１等に示した認証部２５をかざした時に、これに反応するアンテナ３２と受信部３３が設けられている。アンテナ３２は認証部２５の背面に設置されている。アンテナ３２で受信した電波は電流に変換され、受信部３３に入力される。受信部３３は、入力された電流に対応して受信信号を抽出して出力する。受信部３３から出力された受信信号は、制御部３５の信号処理部３６に入力される。信号処理部３６には、その機能の１つとして、当該入力信号に基づいて、上記非接触ＩＣカード３１を所持しかつ使用した利用者が通路１３を通行できる資格を有する適格者であるかまたは非適格者であるかを判断して認証する認証判断部３７を有している。認証判断部３７は、通常、入力信号に含まれる利用者特定あるいは入場料等を表すコードが、例えばメモリ３８に保存されている条件コードと一致するか否かを判断して、ゲート機１０の通路１３における利用者の入場または通行の適格性を判断し、通行許可または通行不許可を認証する。
【００２３】
認証判断部３７は、利用者が通行適格性があると判断した場合には信号Ｓ１を出力し、利用者が通行適格性がないと判断された場合には信号Ｓ２を出力する。信号処理部３６の一機能部としての認証判断部３７の出力信号は、出力側に設けられた駆動制御部４１と発光制御部４２に与えられる。駆動制御部４１は、上記のターンバー２４を回転動作させる駆動装置４３の動作を制御する制御信号Ｓ１１を出力するための手段である。発光制御部４２は、上記の３本のバー部材２４ａの各々に内蔵された発光部４４の発光動作を制御する制御信号Ｓ１２と、イルミネーション発光部２７の発光動作を制御する制御信号Ｓ１３とを出力するための手段である。また信号処理部３６は、表示部２６の表示内容に係る信号Ｓ３を出力する。この信号Ｓ３は上記の表示部２６に供給され、表示部２６の画面に利用者に対して必要な情報が提示される。
【００２４】
上記のシステム構成に基づいてゲート機１０は次のように動作する。
（１）認証判断部３７が信号Ｓ１を出力した時には、駆動制御部４１はターンバー２４が回転可能になるように駆動装置４３を動作させるための制御信号Ｓ１１を出力すると共に、発光制御部４２は発光部４４を青色発光させるための制御信号Ｓ１２を出力する。これにより、図２に示す通り、ゲート機１０は、ターンバー２４が方向Ｄ１に回転可能な状態になって利用者は通路１３を通行することができる通行許可状態になり、かつ、ターンバー２４の３本のバー部材２４ａの各々が上記の発光部４４によって「青色」に発光する。利用者はターンバー２４の発光色を見てゲート機１０を通行できることを確認する。
また同時に通行適格に係る信号Ｓ１３がイルミネーション発光部２７に供給され、イルミネーション発光部２７を７色の色でグラデーション化して流れるように発光させる。
（２）認証判断部３７が信号Ｓ２を出力した時には、駆動制御部４１はターンバー２４が回転がロックされるように駆動装置４３の動作を制限するための制御信号Ｓ１１を出力すると共に、発光制御部４２は発光部４４を赤色発光させるための制御信号Ｓ１２を出力する。これにより、図３に示す通り、ゲート機１０は、ターンバー２４が回転ロックの状態になって利用者は通路１３を通行できない通行不許可状態になり、かつ、ターンバー２４の３本のバー部材２４ａの各々が上記の発光部４４によって「赤色」に発光する。利用者はターンバー２４の発光色を見てゲート機１０を通行できないことを確認する。
また同時に通行不適格に係る信号Ｓ１３がイルミネーション発光部２７に供給され、イルミネーション発光部２７を赤色に発光させる。
【００２５】
ゲート機１０の付近にいる係員は、上記のイルミネーション発光部２７の発光状態を見て、ゲート機１０の動作状態を確認する。
【００２６】
上記の実施形態によれば、遮断部としてターンバー２４を備えたゲート機１０の例を説明したが、本願発明に係るゲート機は、遮断部としてフラップドアや垂直ドア等を使用したゲート機や自動改札機等に用いることができるのは勿論である。
【００２７】
以上の実施形態で説明された構成、形状、大きさおよび配置関係については本発明が理解・実施できる程度に概略的に示したものにすぎない。従って本発明は、説明された実施形態に限定されるものではなく、特許請求の範囲に示される技術的思想の範囲を逸脱しない限り様々な形態に変更することができる。
【産業上の利用可能性】
【００２８】
本発明に係るゲート機は、ゲート機におけるターンバーやドア等の遮断部に対して当該遮断部の全部等を発光させる仕組みを設け、色の発光表示の態様を統一的にかつ標準的にし、利用者に適切な案内を促すように利用される。
【符号の説明】
【００２９】
１０          ゲート機
１１          機械本体部
１２          柵部
１３          通路
２１          台座部
２２          支柱部
２３          筐体部
２３Ａ        連結部
２３Ｂ        メインボディー部
２４          ターンバー
２４ａ        バー部材
２４ｂ        支点部
２５          認証部
２６          表示部
２７          イルミネーション発光部
３１          非接触ＩＣカード
３２          アンテナ
３３          受信部
３５          制御部
３６          信号処理部
３７          認証判断部
３８          メモリ
４１          駆動制御部
４２          発光制御部
４３          駆動装置
４４          発光部
【図１】
2011253490.tif 000003
【図２】
2011253490.tif 000004
【図３】
2011253490.tif 000005
【図４】
2011253490.tif 000006
【図５】
2011253490.tif 000007
【図６】
2011253490.tif 000008